(57)【要約】【課題】両面発光バックライトを備えた両面パネルで、画質を低下させないで電磁波シールドをする。【解決手段】  透明フィルムに銅などからなる金属を格子状に形成した透明電磁波シールドをバックライトに配置する。従来パネル上に配置していたため、画質が低下していたが、バックライトに配置することで画質の低下なく電磁波シールドを行うことができる。【選択図】  図１
2005300811.tif 000002
【特許請求の範囲】
【請求項１】
液晶パネルと、前記液晶パネルを照明するためのバックライトと、前記液晶パネルと前記バックライトとの間に設けられた光を透過する電磁波シールドフィルムと、を備えることを特徴とする表示装置。
【請求項２】
前記バックライトは光源の光を前記液晶パネルに照射する導光体を有するとともに、前記導光体を挟むように第一の液晶パネルと第二の液晶パネルが設けられ、前記電磁波シールドフィルムは第一の液晶パネルと第二の液晶パネルの少なくとも一方の液晶パネルと前記導光板との間に設けられたことを特徴とする請求項１に記載の表示装置。
【請求項３】
前記電磁波シールドフィルムと前記第二の液晶パネルとの間に金属フレームが設けられるとともに、前記電磁波シールドフィルムは前記金属フレームに接触していることを特徴とする請求項１または２に記載の表示装置。
【発明の詳細な説明】
【技術分野】
【０００１】
本発明は、パッシブマトリクス液晶パネルやアクティブマトリクス液晶パネルなどの表示パネルが両面に配置した両面パネルを用いた携帯電話やＰＤＡ（Ｐｅｒｓｏｎａｌ−Ｄｉｇｉｔａｌ−Ａｓｓｉｓｔａｎｔ）などの表示装置に関する。
【背景技術】
【０００２】
従来の表示パネル、例えば、ＳＴＮ型液晶表示パネルでは、セグメント電極とコモン電極をマトリクス状に配置して、ドットマトリックスが形成されている。各電極の表面には、ポリイミドなどの配向膜が形成され、その間に液晶層が設けられている。各電極に時分割で電圧を印加することにより画面を駆動する。セグメント信号とコモン信号はそれぞれ異なり、ドットマトリクスを構成する電極毎にドライバＩＣの出力電極を接続して、信号を印加する。画素数が１６０×１２８ドット程度であれば、セグメント信号とコモン信号を出力するドライバＩＣを１チップで構成しているが、それ以上の画素数では、セグメントとコモンのドライバＩＣにはそれぞれの専用のドライバを使用する。ドライバＩＣの駆動信号の出力数と画素数の関係に応じて、複数のドライバＩＣを使用することもある。
【０００３】
近年、携帯電話は二つに開くシェルタイプが多く採用されており、表示画面としてメイン液晶画面と背面のサブ液晶画面を搭載し、二つの画面を両面に表示する形態（以下、両面パネルと称す）が増えている。二つの画面は別々の表示パネルで構成されている（例えば、特許文献１参照）。また、バックライトは両面から光を面発光する両面発光バックライトが採用されている。両面発光バックライトは導光板の両面に拡散フィルムとレンズシートを組み合わせた構成であって、両面ともほぼ同じ輝度である。通常、サブ液晶画面はメイン液晶画面より小さいサイズである。サブ液晶パネルを固定するために、バックライトとサブ液晶パネルの間にＳＵＳからなる薄型フレームを配置しそのＳＵＳフレームにサブ液晶を固定する。メイン画面とサブ画面のサイズの違いによっては、ＳＵＳフレームはメインパネルの画面と重なる位置に配置される。そのため、サブパネルの液晶とＳＵＳフレームとの光反射率の違いにより、メイン画面で輝度ムラになることがある。その場合には、ＳＵＳフレームの表面処理によって対応する。例えば、塗装により黒色や白色などである。このように構成した両面パネルは、薄型で部品点数が少なく、シェルタイプの携帯電話に多く採用されている。
【特許文献１】特開２００２−２８７１４４号公報（第３頁、第４図）
【発明の開示】
【発明が解決しようとする課題】
【０００４】
携帯電話の電磁波はＳＡＲ（Ｓｐｅｃｉｆｉｃ−Ａｂｓｏｒｐｔｉｏｎ−Ｒａｔ）値により規格化されており、電磁波をシールドする必要がある。しかしながら、この両面発光バックライトを採用した両面表示装置を有する携帯電話では、回路から発生する電磁波が表裏の表示部から外部に漏れてくるため、表示面をシールドする必要がある。しかし、シールドを表示面に配置した場合は、コントラストなどの画質が低下するという問題があった。そこで、本発明の目的は、画質の低下を抑えて電磁波シールドを行える構成の表示装置を提供することにある。
【課題を解決するための手段】
【０００５】
上記課題を解決するために、従来表示面に配置していたシールドをバックライトの発光面に配置した。すなわち、液晶パネルとバックライトからなる表示装置において、バックライトの発光面には透明もしくは光を透過する電磁波シールドフィルムを配置したことを特徴とする表示装置。電磁波シールドフィルムは、バックライトの最表面か、または、拡散フィルムやレンズシートを配置している場合には、拡散シートとレンズシートまたは、導光板とフィルムの間に配置される。また、バックライトは導光体を有する両面に光を発光する両面発光バックライトであって、その両面に液晶パネルを配置した構成であり、一方の液晶パネルの表示画面と同等以上のサイズの電磁波シールドフィルムを配置した。
【発明の効果】
【０００６】
シールドをバックライト側に配置することで、液晶パネルの画質の低下することなく、電磁波シールドができる。
【発明を実施するための最良の形態】
【０００７】
本発明の表示装置は、液晶パネルと、液晶パネルを照明するためのバックライトと、液晶パネルとバックライトとの間に設けられた光を透過する電磁波シールドフィルムを備えている。また、バックライトの導光体を挟むように第一の液晶パネルと第二の液晶パネルが設けられ、電磁波シールドフィルムは第一の液晶パネルと第二の液晶パネルの少なくとも一方の液晶パネルと導光板との間に設けられている。さらに、電磁波シールドフィルムと第二の液晶パネルとの間に金属フレームが設けられ、電磁波シールドフィルムは金属フレームに接触している。電磁波シールドフィルムは透明フィルム上に金属箔を格子状に形成した構成が好ましい。バックライトの拡散板と導光板もしくは拡散板と導光板の間には少なくとも一枚のレンズシートがあり、拡散フィルムとレンズシートもしくはレンズシートとレンズシートもしくは、レンズシートと導光板の間に配置する。バックライトは両面に発光する構成であるが、シールド板はどちらか一方の発光面側でもよい。
【実施例１】
【０００８】
以下に本発明の実施例を図面に基づいて説明する。図１は本発明の表示装置の構成を示す側面図である。メインパネル１は１２８（ＲＧＢ）×１６０ドットの画素構成で、表示モードは透過型である。サブパネル２は９６（ＲＧＢ）×６４ドットの画素構成で、表示モードは半透過型である。メインパネル１とサブパネル２の間にはバックライトが設けられている。バックライトは光源からの光を各パネルに照射する導光板３を備えている。導光板はアクリルやポリカ等で形成され、その両面には、光を拡散する厚み５０μｍの拡散フィルム４、７に、Ｘ軸方向を集光する厚み６４μｍのレンズシート５、８とＹ軸方向を集光するレンズシート６、９が配置されている。また、サブパネル２を固定するためにＳＵＳからなるフレーム１０が設けられている。さらに、Ｙ軸方向を集光するレンズシート９とフレーム１０の間に電磁波シールドフィルム１１が設けられている。
【０００９】
電磁波シールドフィルムには、透明導電膜を透明ＰＥＴフィルムなどにスパッタしたフィルムやアルミや銀などを光が透過する数百Åの薄膜を形成したフィルムがある。また金属を格子状に形成した方式で、銅箔のエッチング方式によるフィルムや金属ペーストを印刷して格子を形成したフィルムがある。電磁波シールドフィルムは、どのフィルムでもよいが、抵抗値と開口率より銅箔のエッチングした方式が最もよい。電磁波シールドフィルムは、ＧＮＤに接続する。電磁波シールドフィルムは金属面をＳＵＳ板側に配置することで、電磁波シールドフィルムとＳＵＳを電気的に接触させて導通する。更にＳＵＳ板をＧＮＤに接続する。こうした構成では、両面の表示面から抜ける電磁波をシールドすることができる。
【００１０】
また、電磁波シールドフィルムの配置によって輝度が変化する。電磁波シールドフィルムのない状態を基準として、レンズシート９の上に配置した場合は７７％，レンズシート９とレンズシート８の間に配置した場合は７１％，レンズシート８と拡散板７の間に配置した場合は６４％，拡散フィルム７と導光板３の間に配置した場合は５７％となる。したがって、輝度を重視する場合には電磁波シールドフィルムをレンズシート９の上に配置するのが最もよいが、液晶パネルが透過型で、見栄えの面で問題がある場合には、レンズシート９とレンズシート８の間がよい。バックライトの構成によって電磁波シールドフィルムは、レンズシート９上に微拡散シートを配置することがあるが、微拡散シートの上でも、微拡散シートとレンズシートの間でもよい。
【図面の簡単な説明】
【００１１】
【図１】本発明の表示装置の構成を示す側面図
【符号の説明】
【００１２】
１  メインパネル
２  サブパネル
３   導光板
４   拡散フィルム
５  Ｘ軸側を集光するレンズシート
６  Ｙ軸側を集光するレンズシート
７  拡散フィルム
８  Ｘ軸側を集光するレンズシート
９  Ｙ軸側を集光するレンズシート
１０  フレーム
１１  電磁波シールドフィルム
【図１】
2005300811.tif 000003